(57)【特許請求の範囲】
【請求項１】
伝送室の上部にはADSL(Asymmetrical Digital Subscriber Line)伝送装備であるDSLAM(Digital Subscriber Line Access Multiplexer)が設けられ、下部には主配線盤が設けられ、DSL(Digital Subscriber Line)ラインを介して伝送された、データ信号と音声信号が混じったADSL信号を音声信号とデータ信号にそれぞれ分離するためのADSL用スプリッタ装置であって、
電話局内の主配線盤に設けられ、線番端子盤からのジャンパ線、交換器側端子盤からのジャンパ線及びDSLAM側からのデータラインを受容するスプリッタベースと、
前記スプリッタベース上に装着され、下部に挿入口が形成された多数のモジュール化されたIDC(Isolation Displacement Connector)型スプリッタ端子ブロックと、
前記端子ブロック内に挿入され、音声信号は交換器側に、データ信号はDSLAM側に信号を分離/接続させるジャック形の単位回線用分離型スプリッタを含むADSL用スプリッタ装置。
【請求項２】
前記スプリッタベースは機械側端子盤と同一の受容回線数である１２８回線または６４回線単位で構成され、同一サイズに製作されることを特徴とする請求項１に記載のADSL用スプリッタ装置。
【請求項３】
前記スプリッタベースの装着部の上下に線番の区分と混同防止のための多数の回線ガイド孔が形成されることを特徴とする請求項１に記載のADSL用スプリッタ装置。
【請求項４】
前記スプリッタ端子ブロックの上部で線番側端子盤と機械側端子盤との間のジャンパ線接続がなされることを特徴とする請求項１に記載のADSL用スプリッタ装置。
【請求項５】
前記分離型スプリッタは小型PCB上に設けられた多数のキャパシタ及び変圧器を内蔵する本体と、外部ピンと接点を形成するために電極処理部が備えられたインタフェース部と、前記本体の上部に挿入及び離脱のための取っ手とを備えることを特徴とする請求項１に記載のADSL用スプリッタ装置。
【請求項６】
前記スプリッタベースの上部で前記データラインが接続される場合、下部で挿入された前記分離型スプリッタのインタフェース部の終端部で音声ライン、ADSLライン、データラインの計3種のラインの接触点が形成されることを特徴とする請求項１に記載のADSL用スプリッタ装置。
【請求項７】
前記スプリッタベースの下部で前記データラインが接続される場合、下部で挿入された前記分離型スプリッタのインタフェースの終端部で音声ライン、ADSLラインの接触点が形成され、前記分離型スプリッタの本体に近い下部でデータライン接触点が形成されることを特徴とする請求項１に記載のADSL用スプリッタ装置。
【請求項８】
前記インタフェース部の電極処理部に耐摩耗及び耐腐食処理がなされていることを特徴とする請求項５に記載のADSL用スプリッタ装置。
【請求項９】
前記主配線盤でデータサービス回線に対する試験を行なうように、挿入方向に沿って線路側、DSLAM側、交換器側の線路及び伝送特性を測定することができる試験点を提供する試験用プラグをADSLスプリッタ端子盤に適用することを特徴とする請求項１に記載のADSL用スプリッタ装置。
【請求項１０】
前記分離型スプリッタの離脱時や試験時にも常に電話サービスを提供できるように前記スプリッタ端子ブロックに設けられたIDCピンが強いバネ復元性により接触点を形成することを特徴とする請求項１に記載のADSL用スプリッタ装置。
【請求項１１】
伝送室の上部にはADSL(Asymmetrical Digital Subscriber Line)伝送装備であるDSLAM(Digital Subscriber Line Access Multiplexer)が設けられ、下部には主配線盤が設けられ、DSL(Digital Subscriber Line)ラインを介して伝送された、データ信号と音声信号が混じったADSL信号を音声信号とデータ信号にそれぞれ分離するためのADSL用スプリッタ配線方法であって、
前記ADSL信号が線番側端子盤でジャンパ線によりADSLスプリッタ端子盤内の端子ブロックに接続され、
前記ADSLスプリッタ端子盤の下部に位置した分離型スプリッタを通過するとき、音声信号とデータ信号が２つの接触点に分離され、
前記データ信号はDSLAM内のADSL伝送シェルフ間のケーブルで接続され、
前記音声信号は機械側端子盤に接続された交換器側局内ケーブルに接続されることを特徴とするADSL用スプリッタ配線方法。
【発明の詳細な説明】
【０００１】
【発明の属する技術分野】
本発明は、電話局内や加入者ビル内の主配線盤(ＭＤＦ：Main Distribution Frames)に設けられ、加入者側のケーブルから伝送されてきた音声信号とデータ信号を直ちに、音声信号は交換器側に、データ信号はDSLAM(Digital Subscriber Line Acess Multiplexer)のようなデータ伝送装備に信号を分離及び接続してくれる、区間別試験点を提供することができるスプリッタに関し、特に、スプリッタをDSLAM装備から分離させて配線構造を改善し、高密度化により構築費用を極小化するADSLスプリッタ端子盤に関する。
【０００２】
【従来の技術】
DSL(Digital Subxcriber Line)は、伝送帯域及び伝送技術によりSDSL(Symmetrical Digital Subscriber Line)、VDSL(Very High Digital Subscriber Line)に分けられる。その中でADSL(Asymmetrical Digital Subscriber Line)技術は、現在使用中である同ケーブル加入者線路を再活用して１つの回線に電話サービスと共に数Mbps級の超高速データサービスを提供することができるようにしてくれるDSL技術の一種である。
【０００３】
ADSLは、低周波(４KHz)音声信号と高周波(１MHz帯)データ信号を既存の電話回線へ一緒に伝送し、スプリッタ(Splitter)という装置で前記２つの信号を分離した後、音声交換器(または電話機)とデータ交換器(または託内コンピュータ)に信号を転送する技術である。
【０００４】
ADSLは、いわゆる「非対称ディジタル加入者回線」として、既存の電話回線(銅線)により、０〜４KHzまでを音声用に、４KHz〜２.２MHzをデータ用に帯域を分けて、音声とデータを同時に使用できるようにしたものである。インターネット使用の際データの流れは、サーバーからクライアント(ユーザー)への方向に発生するもの(下向き；download)が殆どである一方、クライアント(ユーザー)からサーバーへの方向に発生するもの(上向き；upload)はあまり多くない。従って、このようなデータの流れを反映して下向き/上向きをチャネル化し、それぞれ、他の帯域を割り当てて回線効率を高めるようにしたのである。すなわち、下向き速度は１.５〜８Mbps、上向き速度は１６〜６４０Kbpsで、インターネット使用の際サーバーからの下向きデータが殆どを占めているため、高い下向き速度でサービスをしている。
【０００５】
ADSLは、現在サービスが大規模で進行中であり、よって、このための大規模の施設投資が電話局内とアパートなどでなされている。このようなADSLサービスを提供するためには、電話局内の伝送装備であるDSLAM(Digital Subscriber Line Access Multiplexer)装備を設け、装備内のスプリッタシェルフでADSL信号(Voice＋Data信号)をData信号とVoice信号(電話信号)に分離して伝送処理する必要がある。
【０００６】
一方、現在、音声及びデータの伝送、交換の中心場所である電話局は、さまざまな装備と多様なケーブル配線で設置スペース(上げ床；raised floor)が絶対的に不足しており、大量のADSLサービスにより生じるケーブル配線費用と管路工事費用は大きく増加している。
【０００７】
図１は、従来のADSLサービスを提供するための電話局内のDSLAM１とMDF２との間の配線構造を示したもので、上部は伝送室内に設けられたADSL伝送装備であるDSLAM１を示し、下部は試験室内のMDF２を示している。
【０００８】
図示のように、従来の電話サービスのためのケーブル配線構造は次の通りである。加入者側ケーブル(フィーダーケーブル)は、全て下部の線番側端子盤３に縦断され、落雷及び過電流に対する保護機能を持つ避雷器を介して、交換器と一対一対応して局内ケーブル４に接続された１２８回線用機械側端子盤５でジャンパ線６に接続される。
【０００９】
一方、従来のADSLサービスのために構成されたケーブル配線は、別途の機械側端子盤、例えば、交換側ADSL端子盤７と線路側ADSL端子盤８の２つを構成してADSLライン９をケーブル単位でスプリッタシェルフ１０と端子盤７との間に接続させ、スプリッタシェルフ１０から分離された音声ライン１１をケーブル単位でスプリッタシェルフ１０と端子盤８を介して、一般電話加入者回線１２が受容された端子盤にジャンパ線１８で接続させる。このとき、接続されたADSLライン９は、スプリッタシェルフ１０を介して、音声信号を分離させた後、データライン１３に変換されてADSL伝送シェルフ１４に接続され、その後は、光ジャンパコードでNAS(Network Access System)などにより上位データバックボーン網に接続される。
【００１０】
このように従来のスプリッタシェルフ１０は、DSLAM１が設けられる伝送室(２、３階に位置)に位置する必要があるため、ADSLライン９である線路側ケーブルが１階に位置した試験室では二重配線になる不都合があり、別途の接続部を二重に構成すべきであることと、実際電話局内の試験と管理の側面における統合的な試験、管理が不可能であるなどの不都合があった。
【００１１】
また、スプリッタを伝送ユニット別に実装するために数十回線用スプリッタボードでシェルフを構成して装着する必要があるため、部品異状の発生時に修理及び交替が不可能であり、上げ床が伝送室の多くのスペースを占めるという不都合があった。
【００１２】
【発明が解決しようとする課題】
本発明はこのような課題に着目してなされたものであり、電話局内や加入者ビル内の主配線盤(MDF：Main Distribution Frames)に設けられ、加入者側ケーブルを介して伝送されてきた音声信号とデータ信号を分離し、音声信号は交換器側に、データ信号はDSLAMのようなデータ伝送装備に接続してくれる、区間別試験点を提供することができるスプリッタを、DSLAM装備から分離して配線構造を改善し、高密度化により構築費用を極小化するADSLスプリッタ端子盤を提供することにその目的がある。
【００１３】
【課題を解決するための手段】
上記の目的を達成するために、本発明の一局面によれば、伝送室の上部にはADSL(Asymmetrical Digital Subscriber Line)伝送装備であるDSLAM(Digital Subscriber Line Access Multiplexer)が設けられ、下部には主配線盤が設けられ、DSL(Digital Subscriber Line)ラインを介して伝送された、データ信号と音声信号が混じったADSL信号を音声信号とデータ信号にそれぞれ分離するためのADSL用スプリッタ装置であって、電話局内の主配線盤に設けられ、線番端子盤からのジャンパ線、交換器側端子盤からのジャンパ線及びDSLAM側からのケーブルを受容するスプリッタベースと、前記スプリッタベース上に装着され、下部に挿入口が形成された多数のモジュール化されたIDC(Isolation Displacement Connector)型スプリッタ端子ブロックと、前記端子ブロック内に挿入され、音声信号は交換器側に、データ信号はDSLAM側に信号を分離/接続させるジャック形の単位回線用分離型スプリッタを含むADSL用スプリッタ装置が提供される。
【００１４】
本発明の他の局面によれば、伝送室の上部にはADSL(Asymmetrical Digital Subscriber Line)伝送装備であるDSLAM(Digital Subscriber Line Access Multiplexer)が設けられ、下部には主配線盤が設けられ、DSL(Digital Subscriber Line)ラインを介して伝送された、データ信号と音声信号が混じったADSL信号を音声信号とデータ信号にそれぞれ分離するためのADSL用スプリッタ配線方法であって、前記ADSL信号が線番側端子盤でジャンパ線によりADSLスプリッタ端子盤内の端子ブロックに接続され、前記ADSLスプリッタ端子盤の下部に位置した分離型スプリッタを通過するとき、音声信号とデータ信号が２つの接触点に分離され、前記データ信号はDSLAM内のADSL伝送シェルフ間のケーブルで接続され、前記音声信号は機械側端子盤に接続された交換器側局内ケーブルに接続されることを特徴とするADSL用スプリッタ配線方法が提供される。
【００１５】
【発明の実施の形態】
以下、添付の図面を参照して本発明の一実施例を詳細に説明する。図２は本発明によるADSL装置の構成図、図３は本発明によるADSLスプリッタ端子盤の斜視図である。
【００１６】
本発明によるADSLスプリッタ端子盤は、大きく分離型スプリッタ、分離型スプリッタが装着される端子ブロック及び端子ブロックが受容されるスプリッタベースから構成される。スプリッタとは、ADSLシステムの銅線電話ラインを介して伝送された音声信号とデータ信号のうち、音声信号を分離するためのLPF(Low Pass Filter)機能を有し、音声信号とデータ信号を分離してくれる装置をいう。
【００１７】
本発明によるADSLスプリッタ端子盤は、電話局内の主配線盤室(或いは試験室)に設けられ、線番側端子盤からのジャンパ線と交換器側端子盤からのジャンパ線及びDSLAM側からのケーブルを受容して、端子ブロック内に挿入されるジャック形の単位回線用(１〜８回線)分離型スプリッタにより音声＋データ信号(線番側ケーブル内に伝送される)のうち、音声信号は交換器側に、データ信号はDSLAM側に信号を分離/接続する機能を有している。
【００１８】
図２に示されているように、上部は伝送室内に設けられたADSL伝送装備であるDSLAM１を示し、下部は試験室内の主配線盤２を示している。
【００１９】
本発明の好適な実施例によると、ADSLサービスのために構成されたケーブル配線は、従来の配線構造と比較するとき、ケーブル単位の音声ライン配線と追加の機械側端子盤が不要であるという特徴がある。よって伝送室内のDSLAM１の追加の設置スペースが確保される。ADSL信号(音声信号＋データ信号)が線番側端子盤３でジャンパ線６によりADSLスプリッタ端子盤１５内の端子ブロック１６に接続され、ADSLスプリッタ端子盤１５の下部に位置した分離型スプリッタ１７を介するときに、音声信号とデータ信号が２つの接続点に分離され、このとき、データ信号はDSLAM１内のADSL伝送シェルフ１３間のケーブルに伝送され、音声信号は機械側端子盤５に接続された交換器側局内ケーブル４に伝送される。
【００２０】
本発明によるADSLスプリッタ端子盤１５のスプリッタベース２９は、現在使用中である機械側端子盤５と同一の受容回線数である１２８回線や６４回線単位で構成され、同一サイズに製作され装着できる。
【００２１】
主配線盤２に装着されるスプリッタベース２９の装着部３０の上下には線番側端子盤３及び機械側端子盤５、DSLAM伝送シェルフ１４間のジャンパ線/ケーブル接続時に線番の区分と混同防止のために多数の回線ガイド孔１９が形成されており、上部には多数のモジュール化されたIDC型端子ブロック１６が結合される。端子ブロック１６の下部には挿入口が構成され分離型スプリッタ１７が挿入される。
【００２２】
図４及び図５は、本発明によるスプリッタ端子ブロック及び分離型スプリッタの第１、２実施例を示した斜視図である。
【００２３】
スプリッタ端子ブロック１６は、上部で線番側端子盤３と機械側端子盤５との間のジャンパ線６、１８の接続がなされるように構成され、ジャック形の分離型スプリッタ１７はスプリッタ端子ブロック１６の下部に挿入され、スプリッタ端子ブロック１６内の端子ピンとの接続点を形成する。このとき、図４に示された第１実施例は、DSLAM１に接続されるデータライン１３が上部で接続される構造であり、図５に示された第２実施例はデータライン１３が下部で接続される構造である。
【００２４】
データライン１３が上部で接続する場合は、下部では接続の際に作業の不便などを避けることができ、分離型スプリッタ１７のインタフェース部２０が小さくなる一方、上部では１つの回線当り３つの線が接続されて混雑する可能性がある。このようにデータライン１３の接続位置により、スプリッタ端子ブロック１６と分離型スプリッタ１７の構造が一部異なることになる。
【００２５】
図６及び図７は、図４及び図５のデータライン１３の接続位置に応じて、分離型スプリッタ１７を挿入する場合、内部IDCピン２１と分離型スプリッタ１７のインタフェース部２０との接続点形成構造を示したものである。図６は、スプリッタベース２９の上部でデータライン１３が接続される場合、下部で挿入された分離型スプリッタ１７のインタフェース部２０の終端部で音声ライン１８、ADSLライン６、データライン１３の計３種のラインによる接触点２２(各回線当り２ラインで、総６個)を形成することになる。図７はスプリッタベース２９の下部でデータライン１３が接続される場合、下部で挿入された分離型スプリッタ１７のインタフェース２０の終端部で音声ライン１８、ADSLライン６などによる総２種の接触点２３(各回線当り２ラインで、総４個)を形成することになり、分離型スプリッタ１７の本体に近い下部でデータライン１３による１種の接触点２４(総２個)を形成することになる。
【００２６】
図８及び図９は、本発明による分離型スプリッタの内部構造及びインタフェース部形成構造を示した第１、２実施例を示している。
【００２７】
通常のスプリッタは、１つの回線当り２段のLPFから構成されており、大きいPCB(Printed Circuit Board)上に挿入された１つの回線当り３〜４個のキャパシタと、変圧器と、落雷保護機能のサージ吸収(Surge Absorber)素子から構成される。
【００２８】
一方、本発明によると、分離型スプリッタ１７をDSLAM１装備から離脱させるため、装備保護のためのサージ吸収素子はDSLAM１装備側に設けられるのが望ましい。分離された分離型スプリッタ１７には、小型PCB(Printed Circuit Board；２５)上に挿入された３〜４個のキャパシタ３０と変圧器３１が構成され、インタフェース部２０には外部ピンと接点を形成できる耐摩耗性及び耐腐食性を有する電極処理部２６が構成されており、本体３２の上部に挿入及び離脱のための取っ手２７が構成されている。
【００２９】
図１０は本発明によるADSLスプリッタ端子盤に適用可能な試験用プラグを示した斜視図である。ADSLのようなデータサービス回線に対する試験を現在の主配線盤２で行なうように試験用プラグ(Test Plug；２８)を構成したものであり、挿入方向に沿って線路側、DSLAM側、交換側の線路及び伝送特性を測定できる試験点３３、３４、３５を提供する。
【００３０】
図１１は、本発明によるスプリッタ端子盤のディジタル端子盤としての活用例を示した断面図で、IDCピン２１の復元性を極大化して設計すると、分離型スプリッタ１７の離脱時や試験時にも電話信号を一定に維持できる電話サービスを提供することができる。ディジタル端子盤とは、現在音声(アナログ信号)端子盤として使用されるものとは異なって、今後は音声を含むデータ級のディジタル信号まで含んで伝送するときに使用される接続スイッチング用端子盤を意味する。
【００３１】
すなわち、分離型スプリッタ１７の離脱の際、IDCピン２１の強いバネの復元性で接触点２９を形成し、電話信号を維持させることになる。このような構造の適用により、スプリッタ端子盤は今後音声とデータを統合伝送する必要のある次世帯電話局の業務に適合したディジタルEN(electronic number)端子盤としても幅広く使用され得る。
【００３２】
上記において、本発明の好適な実施の形態について説明したが、本発明の請求範囲を逸脱することなく、当業者は種々の改変をなし得るであろう。
【００３３】
【発明の効果】
従って、本発明によれば、分離型スプリッタとスプリッタ端子盤の適用により高価な層間ケーブル配線費用と管路工事費用などが節減され、特に伝送室における上げ床のスペースを節減することができ、音声とデータに対する主配線盤における統合試験と統合管理が可能になって大幅なメンテナンス費用が節減できるという効果を奏する。
【図面の簡単な説明】
【図１】従来のADSLサービスを提供するための電話局内の構成図である。
【図２】本発明によるADSL装置の構成図である。
【図３】本発明によるADSLスプリッタ端子盤の斜視図である。
【図４】本発明によるスプリッタ端子ブロック及び分離型スプリッタの第１実施例を示す斜視図である。
【図５】本発明によるスプリッタ端子ブロック及び分離型スプリッタの第２実施例を示す斜視図である。
【図６】本発明によるスプリッタ端子ブロック及び分離型スプリッタの第１実施例による接続点形成構造を示す断面図である。
【図７】本発明によるスプリッタ端子ブロック及び分離型スプリッタの第２実施例による接続点形成構造を示す断面図である。
【図８】本発明の第１実施例による分離型スプリッタの内部構造及びインタフェース部形成構造を示す透視斜視図である。
【図９】本発明の第２実施例による分離型スプリッタの内部構造及びインタフェース部形成構造を示す透視斜視図である。
【図１０】本発明によるスプリッタ端子盤に適用可能な試験用プラグを示す斜視図である。
【図１１】本発明によるスプリッタ端子盤のディジタル端子盤への活用例を示す断面図である。
【符号の説明】
１    ADSL DSLAM装置
２    主配線盤
３    線番側端子盤
４    交換器側局内ケーブル
５    機械側端子盤
６    ADSLジャンパ線
７    線路側ADSL端子盤
８    交換側ADSL端子盤
９    ADSLライン
１０  スプリッタシェルフ
１１  音声ライン
１２  一般電話加入者回線
１３  データライン
１４  ADSL伝送シェルフ
１５  ADSLスプリッタ端子盤
１６  スプリッタ端子ブロック
１７  分離型スプリッタ
１８  音声ジャンパ線
１９  回線ガイド孔
２０  インタフェース部
２１  IDC端子ピン
２２、２３、２４、２９          接触点
２５  小型PCB
２６  電極処理部
２７  取っ手
２８  試験用プラグ
２９  スプリッタ端子ブロックベース
３０  キャパシタ
３１  変圧器
３２  本体(分離型スプリッタ)
３３、３４、３５         試験点(試験用プラグ)
【図１】
0003706321.tif 000002
【図２】
0003706321.tif 000003
【図３】
0003706321.tif 000004
【図４】
0003706321.tif 000005
【図５】
0003706321.tif 000006
【図６】
0003706321.tif 000007
【図７】
0003706321.tif 000008
【図８】
0003706321.tif 000009
【図９】
0003706321.tif 000010
【図１０】
0003706321.tif 000011
【図１１】
0003706321.tif 000012